(57)【要約】  【課題】  パッドを粘着テープ原反の所定位置に確実に貼付することができるようにした粘着性被覆体の製造方法を提供する。  【解決手段】  長さ方向に搬送される帯状の粘着テープ原反１０に、多数の通気孔１２，１２…を一定の領域Ａごとに次々と形成し、各領域Ａ内の所定位置にパッド２１を次々と貼付し、前記領域Ａを含む範囲で粘着テープ原反１０を切断することによって粘着テープ１１を形成する工程を含む粘着性被覆体の製造方法であって、前記粘着テープ原反１０にパッド２１を貼付していない段階で、粘着テープ原反１０の粘着テープ１１を形成しない部位に、前記通気孔１２，１２…よりも大きな貫通穴によって構成されるレジマーク１３を一定間隔ごとに付し、該レジマーク１３を検知する光電管のようなセンサ２からの信号によってパッド２１を粘着テープ原反１０に貼付する。【選択図】  図２
2005144030.tif 000002
【特許請求の範囲】
【請求項１】
長さ方向に搬送される帯状の粘着テープ原反に、多数の通気孔を一定の領域ごとに次々と形成し、各領域内の所定位置にパッドを次々と貼付し、前記領域を含む範囲で粘着テープ原反を切断することによって粘着テープを形成する工程を含む粘着性被覆体の製造方法であって、
前記粘着テープ原反にパッドを貼付していない段階で、粘着テープ原反の粘着テープを形成しない部位に、前記通気孔よりも大きな貫通穴によって構成されるレジマークを一定間隔ごとに付し、該レジマークを検知するセンサからの信号によってパッドを粘着テープ原反に貼付することを特徴とする粘着性被覆体の製造方法。
【請求項２】
前記レジマークは、複数の領域の間隔ごとに付されることを特徴とする請求項１に記載の粘着性被覆体の製造方法。
【請求項３】
前記センサは、光電管によって構成され、該光電管に接続されたコントローラがパッドを粘着テープ原反に貼付する速度を制御することを特徴とする請求項１または２に記載の粘着性被覆体の製造方法。
【発明の詳細な説明】
【技術分野】
【０００１】
本発明は、例えば多数の通気孔を形成した粘着テープの所定位置に傷当て部材であるパッドが貼付されている救急絆創膏のような粘着性被覆体の製造方法に関し、詳しくは、帯状の粘着テープ原反に多数の通気孔を一定の領域ごとに形成し、各領域内の所定位置にパッドを貼付し、その後、切断することによって粘着テープを形成する工程を含んでいる粘着性被覆体の製造方法に関する。
【背景技術】
【０００２】
粘着性被覆体の一例である救急絆創膏は、図３に示すように、粘着テープ１１の裏面が粘着面とされ、この裏面の所定位置、例えば中心部に傷当て部材であるパッド２１が貼付され、さらに粘着テープ１１の裏面の全面にセパレートタイプの二条の剥離紙３１，３１が剥離自在に貼着されている。
【０００３】
粘着テープ１１は、ポリウレタンなどの樹脂によって、図示したようなほぼ長方形状に形成されるほか、正方形や円形などに形成され、気触（かぶ）れないようにするための通気孔１２，１２…が多数形成されている。また、パッド２１は、ガーゼや不織布などに薬品を染み込ませたもので、粘着テープ１１の幅よりもわずかに狭い幅に形成されている。また、二条の剥離紙３１，３１は、剥離しやすいようにするため、各内端部がパッド２１上またはパッド２１からずれた位置で重なり合っている。
【０００４】
このような救急絆創膏は、個々に包装袋に密封包装されている。包装袋は、一対の包装シート４１，４１が救急絆創膏を両面から挟み、この包装シート４１，４１の周囲が剥離できるようにシールされている。ただし、包装シート４１，４１の片方の端部には、摘みやすいようにするため、わずかにシールされず、内側に折り曲げられた部分が設けられている。
【０００５】
そして、救急絆創膏を製造し、この救急絆創膏を連続して包装袋に包装するための粘着性被覆体の製造装置が特許文献１などに開示されている。
【特許文献１】特開２０００−５２２６号公報
【発明の開示】
【発明が解決しようとする課題】
【０００６】
従来の粘着性被覆体の製造装置は、帯状の粘着テープ原反を長さ方向に間歇的に搬送させながら、多数の通気孔１２，１２…を一定の領域ごとに次々と形成し、各領域内の所定位置、例えば中心部にパッド２１を次々と貼付し、前記領域よりも一回り大きな範囲で粘着テープ原反を打ち抜くことにより、粘着テープ１１を形成しする工程を経て救急絆創膏を製造している。
【０００７】
この従来の粘着性被覆体の製造装置は、粘着テープ原反を一定の速度で間歇的に搬送することにより、多数の通気孔１２，１２…を一定のピッチで形成し、この多数の通気孔１２，１２…を形成するタイミングで、パッド２１を粘着テープ原反に次々と貼付している。したがって、各パッド２１，２１のピッチも多数の通気孔１２，１２…のピッチと一致して、パッド２１は粘着テープ１１の所定位置に貼付される。
【０００８】
しかし、粘着テープ原反はポリウレタンなどの伸縮性のある樹脂によって形成され、搬送路において加えられるテンションによって、さらに、湿度の変化などによって、粘着テープ原反は、微妙に伸縮し、搬送速度が微妙に変化するため、一定の速度で粘着テープ原反に貼付されるパッド２１は、多数の通気孔１２，１２…から位置ずれし、粘着テープ原反１１の所定位置に貼付されず、不良品となることがある。
【０００９】
そこで、本発明は、パッドを粘着テープの所定位置に確実に貼付することができるようにした粘着性被覆体の製造方法を提供することを課題とする。
【課題を解決するための手段】
【００１０】
本発明にかかる粘着性被覆体の製造方法は、長さ方向に搬送される帯状の粘着テープ原反に、多数の通気孔を一定の領域ごとに次々と形成し、各領域内の所定位置にパッドを次々と貼付し、前記領域を含む範囲で粘着テープ原反を切断することによって粘着テープを形成する工程を含む粘着性被覆体の製造方法であって、前記粘着テープ原反にパッドを貼付していない段階で、粘着テープ原反の粘着テープを形成しない部位に、前記通気孔よりも大きな貫通穴によって構成されるレジマークを一定間隔ごとに付し、該レジマークを検知するセンサからの信号によってパッドを粘着テープ原反に貼付することを特徴としている。
【００１１】
この粘着性被覆体の製造方法によれば、粘着テープ原反にパッドを貼付していない段階において、貫通穴によって構成されるレジマークが粘着テープ原反の粘着テープを形成しない部位に付され、このレジマークを検知するセンサからの信号により、パッドが粘着テープ原反に貼付される。センサがレジマークを検知することにより、粘着テープ原反の搬送速度が検出され、この搬送速度にあわせてパッドを貼付する速度が制御され、粘着テープが微妙に伸縮していても、パッドは各領域のピッチと一致して、各領域内の所定位置に貼付される。しかも、レジマークは、粘着テープを形成しない部位に付されることから、粘着性被覆体を損傷させるものとならない。
【００１２】
また、前記粘着性被覆体の製造方法において、前記レジマークは、複数の領域の間隔ごとに付されることが好ましい。この粘着性被覆体の製造方法によれば、粘着テープ原反が高速で搬送されても、センサがレジマークを誤認しないようにすることができる。
【００１３】
また、前記粘着性被覆体の製造方法において、前記センサは、光電管によって構成され、該光電管に接続されたコントローラがパッドを粘着テープ原反に貼付する速度を制御することが好ましい。この粘着性被覆体の製造方法によれば、レジマークが光電管付近を通過するときに、パルス信号が出力され、コントローラは、このパルス信号に基づいて粘着テープ原反の速度を検出し、そして、この速度に対応して、パッドを粘着テープ原反に貼付する。
【発明の効果】
【００１４】
本発明によれば、粘着テープ原反にレジマークを一定間隔ごとに付し、このレジマークを検知するセンサからの信号によってパッドが粘着テープ原反に貼付されることにより、多数の通気孔が形成された一定の領域内の所定位置にパッドを貼付した粘着性被覆体を製造することができる。したがって、粘着テープ原反が微妙に伸縮しても、パッドは所定位置に確実に貼付され、歩留まりが向上するため、製品のコストダウンを図ることができる。
【発明を実施するための最良の形態】
【００１５】
本発明にかかる粘着性被覆体の製造方法の一実施形態を図１および図２を参照しながら説明する。なお、背景技術で説明した部分と同一部分は、同一の符号を付して説明する。
【００１６】
この実施形態における粘着性被覆体の製造方法は、図１に示すような製造装置を使用する。この製造装置は、帯状の粘着テープ原反１０が間歇的に搬送される搬送ライン上に、上流側から下流側へ、穿孔機１、センサ２、メインドラム３、パッド供給手段４、剥離テープ原反供給手段５などが配備されている。
【００１７】
穿孔機１は、メインドラム３よりも上流側で間歇的に搬送されている帯状の粘着テープ原反１０に多数の通気孔１２，１２…を形成すると同時に、この通気孔１２，１２…よりも大きな貫通穴によって構成されるレジマーク１３を付する装置である。この穿孔機１は、粘着テープ原反１０が間歇的に搬送されることから、粘着テープ原反１０が停止したときに、粘着テープ１１よりも一回り小さな一定の領域Ａ（図２参照）、例えば４つの領域Ａ，Ａ…ごとに一括して多数の通気孔１２，１２…を形成することができるパンチング装置によって構成されている。
【００１８】
さらに、この穿孔機１には、４つの領域Ａ，Ａ…の間隔ごとに１つのレジマーク１３を付するパンチング装置が備えられている。なお、穿孔機１は、１つの領域Ａごとに多数の通気孔１２，１２…を形成し、４つの領域Ａ，Ａ…に多数の通気孔１２，１２…が形成されるごとに、１つのレジマーク１３を付するようにすることもできる。また、レジマーク１３は３つ以下または５つ以上の領域Ａごとに付するようにすることもできる。
【００１９】
そして、センサ２は、前記レジマーク１３が通過する搬送ラインに配置される光電管によって構成され、前記レジマーク１３を検出したときに検出パルス信号をコントローラ６に出力する。なお、センサ２は、光電管以外に、発光ダイオードのような投光素子とフォトダイオードのような受光素子との組合せによって構成することもできる。
【００２０】
そして、メインドラム３には、粘着テープ原反１０がほぼ半周巻き付き、メインドラム３の外周に沿ってパッド供給手段４と剥離テープ原反供給手段５が配備されている。
【００２１】
パッド供給手段４は、メインドラム３に向かって繰り出されるパッド原反２０を所定の長さに切断し、パッド２１を形成する切断ローラ４ａと、この切断されたパッド２１を粘着テープ原反１０に貼付する移送ローラ４ｂとを備えており、両ローラ４ａ，４ｂともサーボモータによって回転するようにされている。サーボモータは、前記コントローラ６によって回転速度が制御される。なお、メインドラム３などもサーボモータによって回転するが、ここでは、パッド供給手段４に備えられたモータをサーボモータとして説明する。
【００２２】
コントローラ６は、パッド供給手段４に備えられたサーボモータが所定の速度で回転するようにするための基準パルス信号と、前記センサ２から出力される検出パルス信号とを比較し、両パルス信号が同期していないと、パッド供給手段４に備えられたサーボモータの回転速度を制御する差動装置を備えている。
【００２３】
例えば、粘着テープ原反１０が所定の速度よりも遅く搬送されているときは、コントローラ６は検出パルス信号が基準パルス信号よりも遅くなっていることを検知し、サーボモータの回転速度を遅くする。逆に、粘着テープ原反１０が所定の速度よりも速く搬送されているときは、コントローラ６は検出パルス信号が基準パルス信号よりも速くなっていることを検知し、サーボモータの回転速度を速くする。
【００２４】
そして、パッド供給手段４の下流側に配備された剥離テープ原反供給手段５は、メインドラム３に向かって繰り出される２本の帯状の剥離テープ原反３０，３０を、メインドラム３に巻き付いている粘着テープ原反１０に内端部が重なり合うように貼着するローラを備えている。この剥離テープ原反供給手段５に近接して、離脱ローラ７が配置されている。離脱ローラ７によって、パッド２１を貼付し、かつ、２本の剥離テープ原反３０，３０を貼着した粘着テープ原反１０がメインドラム３から離れて下流側へ搬送される。
【００２５】
この離脱ローラ７よりもさらに下流側の粘着テープ原反１０の搬送路には、打抜き手段８、包装手段、切断手段など（いずれも図１には図示せず）が配備されている。打抜き手段８は、粘着テープ原反１０と剥離テープ原反３０とを所定の形状に打ち抜き、パッド２１を貼付した粘着テープ１１に剥離紙３１，３１を貼着した救急絆創膏を隣接した状態に形成する装置である。包装手段は、隣接した状態の救急絆創膏を１枚ずつ分離し、この救急絆創膏を表裏両面から２本の帯状の包装シート原反（図示せず）によって挟み、包装シート原反を各救急絆創膏の周囲でシールする装置である。切断手段は、救急絆創膏を包装した包装シート原反に救急絆創膏間でミシン目を入れ、例えば救急絆創膏が５枚１組となって箱詰めされるように包装シート原反を切断する装置である。
【００２６】
本実施形態の粘着性被覆体の製造方法において使用する製造装置は以上のように構成され、次に粘着性被覆体を製造する方法について、図１および図２を参照しながら説明する。
【００２７】
粘着テープ原反１０は、間歇的に搬送され、穿孔機１を通過するときに、図２（ａ）に示すように、例えば４つの領域Ａ，Ａ…に多数の通気孔１２，１２…が形成されると同時に、貫通穴によって構成される１つのレジマーク１３が付される。この粘着テープ原反１０が下流のほうへ搬送され、センサ２がレジマーク１３を検出すると、検出パルス信号が発生し、この検出パルス信号がコントローラ６に入力される。コントローラ６は、この検出パルス信号と基準パルス信号とを比較することにより、粘着テープ原反１の搬送速度が所定の速度と一致しているか一致していないかを検出し、パッド供給手段４のサーボモータの回転速度を制御する。
【００２８】
すなわち、粘着テープ原反１０は、メインドラム３に巻き付いた状態において、パッド供給手段４によってパッド２１が貼付されるが、パッド供給手段４のサーボモータは、コントローラ６に制御され、粘着テープ原反１０の速度に同期して回転するため、パッド２１は図２（ｂ）に示すように領域Ａ内の所定位置に貼付される。したがって、粘着テープ原反１０が微妙に伸縮し、各領域Ａ，Ａ間のピッチが所定のピッチと異なり、また、所定の速度と異なって搬送されていても、パッド２１，２１…は各領域Ａ，Ａ間の実際のピッチと一致して、また、粘着テープ原反１０の搬送速度と同期して各領域Ａ，Ａ…に貼付される。
【００２９】
続いて、粘着テープ原反１０には、メインドラム３上で２本の剥離テープ原反３０，３０が貼着され、図２（ｃ）に示すように打抜き手段８によって粘着テープ原反１０と２本の剥離テープ原反３０，３０を切断し、粘着テープ原反１０と２本の剥離テープ原反３０，３０の両側部を切除して、救急絆創膏を形成する。そして、救急絆創膏は、包装手段によって１枚ごとに包装シート原反に包装される。包装シート原反は、切断手段によって救急絆創膏ごとに包装する包装シート４１，４１（図３参照）に切断しやすいようにするためのミシン目が入れられると同時に、５枚の救急絆創膏を１セットとして包装するように切断される。
【００３０】
このようにして製造された救急絆創膏は、パッド２１が領域Ａ内の所定位置に、確実に貼付されているため、不良品が発生せず、歩留まりが向上する。
【００３１】
なお、本発明は、前記の実施形態に限定することなく特許請求の範囲に記載した技術的事項の範囲内において種々変更することができる。例えば、パッド２１を粘着テープ原反１０の所定位置に貼付するため、パッド供給手段４のサーボモータの回転速度を制御するのではなく、メインドラム３のサーボモータの回転速度を制御するようにしてもよい。また、粘着性被覆体は、救急絆創膏以外に、事務用テープや各種工業用テープなどにおいても実施することができる。
【図面の簡単な説明】
【００３２】
【図１】本発明にかかる粘着性被覆体の製造方法の一実施形態を説明するための構成図である。
【図２】本発明にかかる粘着性被覆体の製造方法の一実施形態によって製造される粘着性被覆体の平面図であって、（ａ）は通気孔を形成し、かつ、レジマークを付したときの粘着テープ原反の平面図、（ｂ）はパッドを貼付したときの粘着テープ原反の平面図、（ｃ）は粘着テープ原反に剥離テープ原反を貼着し、両原反を切断したときの平面図である。
【図３】粘着性被覆体の一例である救急絆創膏の分解斜視図である。
【符号の説明】
【００３３】
２…センサ
１０…粘着テープ原反
１１…粘着テープ
１２…通気孔
１３…レジマーク
２１…パッド
Ａ…領域
【図１】
2005144030.tif 000003
【図２】
2005144030.tif 000004
【図３】
2005144030.tif 000005